(57)【要約】【課題】安定して楕円運動可能な騎馬のシミュレーションの装置を提供する。【解決手段】移動自在にベース１０に架設され、一端または前端でレバー１６に接続される載せディバイス３０と、載せディバイス３０及びサドル５０を楕円運動させるように駆動する駆動装置２０からなる。また、一端が、第一枢設軸６１を経由してベース１０の支持柱１１に回転可能に接続され、他端が、第二枢設軸１８を経由してレバー１６に回転可能に接続される懸垂アーム６０と、を備え、レバー１６、載せディバイス３０の前端３３及びサドル５０がベース１０に対して、上下に移動可能である。【選択図】図２
0003140879.tif 000002
【実用新案登録請求の範囲】
【請求項１】
騎馬のシミュレーション装置において、
ベースと、
移動自在に前記ベースに架設され、前端で前記ベースより上へ延伸する支持柱に設けられたレバーに接続される載せディバイスと、
前記載せディバイス及び載せディバイスに設置されたサドルを楕円運動させるように駆動する駆動装置と、
一端が第一枢設軸を経由して前記支持柱に回転可能に接続され、他端が第二枢設軸を経由して前記レバーと回転可能に接続される懸垂アームと、
を備え、
前記レバー、前記載せディバイスの前端及び前記サドルが前記ベースに対して、上下に移動可能であることを特徴とする騎馬のシミュレーション装置。
【請求項２】
さらに、少なくとも一本のクランクを備え、
前記載せディバイスは、少なくとも一つの湾曲する弧状段を有し、
前記弧状段は、前記クランクに接続されることを特徴とする請求項１に記載の騎馬のシミュレーション装置。
【請求項３】
前記クランクは、連動ロッドを経由し、前記懸垂アームに接続され、前記クランクが前記懸垂アームを作動させて回転させることが可能であることを特徴とする請求項２に記載の騎馬のシミュレーション装置。
【考案の詳細な説明】
【技術分野】
【０００１】
本考案は、安定して楕円運動が可能な騎馬のシミュレーション装置に関する。
【背景技術】
【０００２】
従来の騎馬のシミュレーション装置は皆、駆動装置が設けられて、サドルを駆動すると、騎馬のシミュレーションを行う。
しかし、従来の騎馬のシミュレーション装置は緩衝式の移動動作がなかったので、運動傷害の恐れがあった。
【考案の開示】
【考案が解決しようとする課題】
【０００３】
本考案の主な目的は、安定して楕円運動が可能な騎馬のシミュレーション装置を提供することである。
【課題を解決するための手段】
【０００４】
上記目的を達成するため、本考案に係る騎馬のシュミレーション装置は、ベースと、移動自在にベースに架設され、前端でレバーに接続される載せディバイスと、載せディバイス及びサドルを楕円運動させるように駆動する駆動装置と、第一枢設軸を経由してベースに枢設、接続され、レバーがもう一本の第二枢設軸を経由して枢設、接続される懸垂アームと、を備え、レバー、載せディバイスの前端及びサドルがベースに対して、上下に移動可能である。
【考案を実施するための最良の形態】
【０００５】
以下、本考案による一実施形態を図面に基づいて説明する。
（一実施形態）
本考案の一実施形態による騎馬のシミュレーション装置はＩ字形のベース１０を有する。ベース１０の前面部位から、上へ延伸する支持柱１１が設けられる。支持フレーム１２はベース１０の後面部位に設けられる。少なくとも一本のクランク１３は枢設軸１４を経由し、支持フレーム１２に回転可能に接続される。スライドホイール１５は各クランク１３の末端に設けられる。駆動装置２０はベース１０に設けられ、フライホイール（fly wheel）２１を有し、枢設軸２２で、支持フレーム１２に回転可能に接続する。モーター２３の軸心２４は連結装置２５、例えばベルトでフライホイール２１に接続される。おもり２６も枢設軸１４に回転可能に接続され、クランク１３と一緒に回転できる。おもり２６はもう一つの連結装置２７、例えばベルトを経由して、フライホイール２１の枢設軸２２に接続するので、おもり２６、フライホイール２１、及びクランク１３はモーター２３に駆動され、回転できる。ブレーキ装置２８で、連結装置２７及びおもり２６を止めることができる。
【０００６】
載せディバイス３０は少なくとも一本のロッド３１、３２を備える。その一端又は前端３３が少なくとも一本のレバー１６、及び枢設軸１７を経由して、ベース１０の支持柱１１に接続されるので、ロッド３１、３２の前端３３は前後移動できるようになる。載せディバイス３０はさらに、少なくとも一本のフレームロッド（frame rod）３４を有し、ロッド３１、３２の間に連結される。各ロッド３１、３２は弧状段３５を末端３６に設置し、移動できるように、クランク１３のスライドホイール１５に架設される。そして、クランク１３に駆動されると回転できる。弧状段３５が相対的に高い上死点３７及び相対的に低い低点３８を持つので、クランク１３のスライドホイール１５は上死点３７へ移動している趨勢がある。また、少なくとも一つの保持ユニット（unit）４０が配置され、各弧状段３５又はロッド３１、３２に接続することにより、スライドホイール１５の移動を制限する。
【０００７】
作動するとき、モーター２３は直接的又は間接的にクランク１３を駆動して、ロッド３１、３２の弧状段３５又は末端３６を円運動又は楕円運動させる。ロッド３１、３２の弧状段３５又は末端３６が弧状段３５に固定されないので、ロッド３１、３２の弧状段３５又は末端３６は、慣性で、クランク１３のスライドホイール１５に対して、緩衝式の移動が進行する。
【０００８】
載せディバイス３０には、ユーザーが乗るためのサドル５０を設ける。サドル５０は台座ロッド５１を有し、ロッド３１、３２またはフレームロッド３４に設置して、パッド（pad）５２を支持する。台座ロッド５１は調整できる構造があるので、パッド５２の上下位置を調整することができる。サドル５０は横方向のビーム（beam）５３を有し、台座ロッド５１に配置される。シャフトブッシュ（shaft bush）５４は横方向のビーム（beam）５３に設置され、フレーム５５を支持する。フレーム５５は枢設軸５６を経由し、横方向のビーム５３のシャフトブッシュ５４に枢設、接続されることにより、パッド５２を支持するほか、フレーム５５及びパッド５２も横方向のビーム５３又は台座ロッド５１に対して、ずれるように回転できる。二つの弾性ユニット５７はフレーム５５、横方向のビーム５３又は台座ロッド５１の間に設けられる。二つの締め付けユニット５８は横方向のビーム５３及び弾性ユニット５７を通過して、フレーム５５に螺合、接続する。それぞれヘッドを持つので、フレーム５５が横方向のビーム５３又は台座ロッド５１と相対的にずれるように回転することが制限できる。サドル５０は支持ロッドを有し、調整できるように、馬の鐙を架設する。
【０００９】
作動するとき、サドル５０及び載せディバイス３０はモーター２３の駆動で楕円運動可能である。そして、ロッド３１、３２の前端３３はベース１０に対応するように前後移動できる。載せディバイス３０の弧状段３５又は末端３６は、ベース１０に対して、円運動又は楕円運動可能である。その結果、載せディバイス３０及びサドル５０はベース１０に対して、楕円運動可能である。
【００１０】
また、懸垂アーム６０は第一枢設軸としての枢設軸６１を経由して、ベース１０の支持柱１１に枢設、接続される。レバー１６の一端又は上端１９は第二枢設軸としての枢設軸１８を経由して、懸垂アーム６０に枢設、接続される。連動ロッド６２は少なくとも一本のクランク１３に接続され、かつ、別の枢設軸６３を経由して、懸垂アーム６０に枢設、接続される。クランク１３は連動ロッド６２を経由して、懸垂アーム６０を作動する。枢設軸６３と枢設軸１８、６１は別々に設置される。懸垂アーム６０がベース１０の支持柱１１に対して移動又は振れているときに、レバー１６の上端１９が支持柱１１に対して、回動できるので、載せディバイス３０の前端３３はベース１０に対応して、上下に移動できる。
【００１１】
（その他の実施形態）
載せディバイス３０は少なくとも一つのストッパー（stopper）３９を追加しても良く、各弧状段３５またはロッド３１、３２に接続して、スライドホイール１５がロッド３１、３２から脱落、分離されることを防ぐ。
枢設軸１８は二本の枢設軸６１、６３の間に配置されてもよい。
実施例に示す説明は、本考案の技術範囲になんらの制限を加わるものではない。よって、本考案は、応用又は前掲の技術手段に対する単純化あるいは置き換えが可能であって、これらの変更は、本考案の請求範囲に含まれるものである。
【図面の簡単な説明】
【００１２】
【図１】本考案の一実施形態による騎馬のシミュレーション装置を示す斜視図である。
【図２】本考案の一実施形態による騎馬のシミュレーション装置の内部機構を示す斜視図である。
【図３】本考案の一実施形態による騎馬のシミュレーション装置の内部機構を示す斜視図である。
【図４】本考案の一実施形態による騎馬のシミュレーション装置の内部機構を示す分解斜視図である。
【図５】本考案の一実施形態による騎馬のシミュレーション装置の内部機構を示す分解斜視図である。
【図６】本考案の一実施形態による騎馬のシミュレーション装置の内部機構の作動状態を示す側面図である。
【図７】本考案の一実施形態による騎馬のシミュレーション装置の内部機構の作動状態を示す側面図である。
【図８】本考案の一実施形態による騎馬のシミュレーション装置の内部機構の作動状態を示す側面図である。
【図９】本考案の一実施形態による騎馬のシミュレーション装置の内部機構の作動状態を示す側面図である。
【図１０】本考案の一実施形態による騎馬のシミュレーション装置の内部機構の作動状態を示す側面図である。
【図１１】本考案の一実施形態による騎馬のシミュレーション装置の内部機構の作動状態を示す側面図である。
【符号の説明】
【００１３】
１：騎馬のシュミレーション装置、１０：ベース、１１：支持柱、１２：支持フレーム、１３：クランク、１４、１７、２２、６３：枢設軸、１８：枢設軸（第二枢設軸）、１５：スライドホイール、１６：レバー、１９：上端、２０：駆動装置、２１：フライホイール、２３：モーター、２４：軸心、２５、２７：連結装置、２６：おもり、２８：ブレーキ装置、３０：載せディバイス、３１、３２：ロッド、３３：前端、３４：フレームロッド、３５：弧状段、３６：末端、３７：上死点、３８：低点、３９：ストッパー、４０：保持ユニット、５０：サドル、５１：台座ロッド、５２：パッド、５３：横方向のビーム、５４：シャフトブッシュ、５５：フレーム、５７：弾性ユニット、５８：締め付けユニット、６０：懸垂アーム、６１：枢設軸（第一枢設軸）、６２：連動ロッド
【図１】
0003140879.tif 000003
【図２】
0003140879.tif 000004
【図３】
0003140879.tif 000005
【図４】
0003140879.tif 000006
【図５】
0003140879.tif 000007
【図６】
0003140879.tif 000008
【図７】
0003140879.tif 000009
【図８】
0003140879.tif 000010
【図９】
0003140879.tif 000011
【図１０】
0003140879.tif 000012
【図１１】
0003140879.tif 000013